(57)【要約】【課題】中継基板の共通使用化を図る。【解決手段】遊技盤１の裏側に機能表示部３、主制御部２、音制御部、ランプ制御部などの部品を取り付け、遊技機枠１２の裏側に中継基板４、リアプレート１５、タンク１６、球払出機構１７、発射制御部１８、払出制御部１３などの部品を取り付け、払出制御部１３と球払出機構１７とを配線２２で接続し、発射制御部１８と払出制御部１３と中継基板４のコネクタ８とを配線２１；２３で接続し、遊技盤１を遊技機枠１２に装着することで、機能表示部３が遊技機枠１２の裏側からリアプレート１５の透視領域１９を通して視認可能となり、機能表示部３の機能表示９；１０が中継基板４のコネクタ５−８と対応付けられた配置となる一方、主制御部２をコネクタ６に配線２６で接続し、コネクタ５；７に管理装置１１を配線２４；２５で接続することで、遊技盤１の機種交換でも中継基板４が共通に使用できる。【選択図】　　　　図１
2004141179.tif 000002
【特許請求の範囲】
【請求項１】
遊技機の制御部と当該遊技機の設置される遊技店の管理装置との間で通信する制御情報を中継する中継基板が遊技機枠に設けられ、遊技機枠に格納される遊技主体に上記中継基板に対する機能表示部が設けられたことを特徴とする遊技機。
【請求項２】
機能表示部が遊技主体に印刷されたことを特徴とする請求項１記載の遊技機。
【発明の詳細な説明】
【０００１】
【発明の属する技術分野】
本発明は遊技機の制御部と当該遊技機の設置される遊技店の管理装置との間で通信する制御情報を中継する部分の構造に関する。
【０００２】
【従来の技術】
図３は従来のパチンコ機の裏機構を示す（例えば、特許文献１参照）。図３のａ図に示すように、遊技盤１は裏側にパチンコ機の制御部である主制御部２および中継基板３１を備え、主制御部２と中継基板３１とが配線３２で接続される。図３のｂ図に示すように、遊技機枠１２は裏側にリアプレート１５、タンク１６、球払出機構１７、パチンコ機の制御部である発射制御部１８、パチンコ機の制御部である払出制御部１３および中継基板３３を備え、リアプレート１５は窓３４および開口１４を備える一方、払出制御部１３が球払出機構１７と発射制御部１８および中継基板３３に配線２２；２３；３５で接続される。そのような状態において、図３のｃ図に示すように、遊技盤１が遊技機枠１２に格納されることによって、遊技盤１の中継基板３１が遊技機枠１２の窓３４を経由してリアプレート１５よりも裏側に突出し、遊技盤１の主制御部２が遊技機枠１２の開口１４を経由してリアプレート１５よりも裏側に突出する。そして、図３のｃ図に示す遊技機が遊技店の島と呼ばれる遊技機設置設備に設置される場合に、当該遊技店の営業を管理するホールコンピュータと呼ばれる管理装置１１が遊技盤１の中継基板３１と遊技機枠１２の中継基板３３とに配線３６；３７で接続される一方、遊技盤１の主制御部２が遊技機枠１２の払出制御部１３に配線２７で接続される。この後、遊技店が開店され、遊技者がパチンコ機で遊技を実行すると、その遊技の進行に伴い、パチンコ機と管理装置１１とが相互間で球切れ情報、扉開放情報、賞球数情報、貸球数情報、始動入賞情報、大当たり情報、図柄変動開始情報、図柄変動停止情報、打ち止め情報などの制御情報を通信する。
【０００３】
【特許文献１】
特開２０００−２７１２７４号公報（３頁、段落番号００１０−００１２、図２）。
【０００４】
【発明が解決しようとする課題】
しかしながら、前記従来例は中継基板３１；３３が遊技盤１と遊技機枠１２との双方に別々に設けられた構造であるため、新装開店のように遊技機枠１２をそのまま使用し、古い遊技盤１を新しい遊技盤１に機種変更する場合、遊技盤１に設けられた中継基板３１が古い遊技盤１と一緒に廃棄されてしまうという問題点があった。
【０００５】
そこで、本発明は遊技盤を交換しても中継基板をそのまま使うことができるパチンコ機を提供するものである。
【０００６】
【課題を解決するための手段】
本発明にあっては、遊技機の制御部と当該遊技機の設置される遊技店の管理装置との間で通信する制御情報を中継する中継基板が遊技機枠に設けられ、遊技機枠に格納される遊技主体に上記中継基板に対する機能表示部が設けられたことによって、新装開店のように古い遊技盤から新しい遊技盤に機種交換しても、遊技機枠に取り付けられた中継基板をそのまま使うことができる。また、本発明にあっては、機能表示部が遊技主体に印刷されれば、遊技主体と別体の機能表示部を遊技主体に取り付ける場合に比べ、印刷の場合における原版と遊技主体との種類との対応付け検査を正確に行えば、機能表示部の取り付け間違いの発生を防止することができる。
【０００７】
【発明の実施の形態】
図１および図２は一実施形態であって、図１のａ図は遊技盤１の裏面を示し、図１のｂ図は遊技機枠１２の裏面を示し、図１のｃ図は遊技盤１を遊技機枠１２に装着したパチンコ機の裏面を示し、図２は中継基板４周りの外観を示す。
【０００８】
図１を参照し、パチンコ機について説明する。図１のａ図において、遊技盤１が裏側に主制御部２を備えた点は公知であるものの、遊技盤１が機能表示部３を備えた点は新規である。機能表示部３は図１のｂ図に示す中継基板４に実装されたコネクタ５；６；７；８の各々に対する機能表示９；１０を備える。機能表示９；１０としては、例えば、主制御部２から図１のｃ図に示す管理装置１１に出力される制御情報を表す「始動入賞情報」、「図柄変動開始情報」、「図柄変動停止情報」、「大当たり情報」などの文字または文字に相当する記号、図１のｂ図に示す遊技機枠１２の払出制御部１３から管理装置１１に出力される制御情報を表す「賞球払出数情報」、「補給要求情報」などの文字または文字に相当する記号、管理装置１１から遊技機に出力される「打ち止め情報」の文字または文字に相当する記号のいずれでもよいが、記号にくらべ、文字であれば機能表示９；１０を見た作業者が当該表示された機能を適切かつ迅速に把握することができる。これらの機能表示９；１０は図１のｂ図における中継基板４に実装されたコネクタ５−８の各々と位置が対応付けられている。
【０００９】
図１のｂ図において、遊技機枠１２が裏側に開口１４を有するリアプレート１５、タンク１６、球払出機構１７、発射制御部１８および払出制御部１３を備えた点は公知であるものの、遊技機枠１２が中継基板４を備えた点およびリアプレート１５が透視領域１９を備えた点は新規である。中継基板４は図３のａ図における遊技盤１に設けられた中継基板３１と図３のｂ図における遊技機枠１２に設けられた中継基板３３との双方の役割を有するものであって、プリント配線基板のような回路基板に複数のコネクタ５−８を備える。複数のコネクタ５−８は、主制御部２から管理装置１１に出力される制御情報を担うコネクタ５；６、払出制御部１３から管理装置１１に出力される制御情報を担うコネクタ７；８である。透視領域１９は窓、窓に透過形合成樹脂製のパネルを装着した構造、窓に透過形合成樹脂製の凸レンズを装着した構造のいずれでもよいが、凸レンズを装着すれば、遊技盤１に設けた機能表示部３の機能表示９；１０が拡大されて見えるので、作業者が機能表示９；１０を把握し易くなる。遊技機枠１２では、払出制御部１３、リアプレート１５、タンク１６、球払出機構１７、発射制御部１８などの部品が取り付けられた後に、払出制御部１３がコネクタ８と球払出機構１７および発射制御部１８に配線２１；２２；２３で接続される。
【００１０】
図１のｃ図および図２に示すように、機能表示部３を有する遊技盤１が中継基板４および透視領域１９を有する遊技機枠１２に装着されることによって、遊技盤１の裏側に設けられた機能表示部３が遊技機枠１２の裏側から透視領域１９を経由して視認される形態となる。従って、新装開店のように遊技機枠１２をそのまま使用し、古い遊技盤１から新しい遊技盤１に機種交換しても、遊技機枠１２に取り付けられた中継基板４をそのまま使うことができる。また、交換後の新しい遊技盤１に設けられた機能表示部３の機能表示９；１０の内容と交換前の古い遊技盤１に設けられた機能表示部３の機能表示９；１０の内容とが異なる場合でも、当該交換後の新しい遊技盤１に設けられた機能表示部３の機能表示９；１０の位置と遊技機枠１２に設けられた中継基板４におけるコネクタ５−８との位置とは対応付けられているので、中継基板４に対する管理装置１１の配線２４；２５の接続を当該交換後の新しい遊技盤１に設けられた機能表示部３の機能表示９；１０の内容に合わせて変更すればよい。また、遊技機枠１２では、遊技盤１が遊技機枠１２に装着された後、主制御部２がコネクタ６および払出制御部１３に配線２６；２７で接続されることは勿論である。
【図面の簡単な説明】
【図１】一実施形態のパチンコ機を示す模式図であって、ａ図は遊技盤の背面図、ｂ図は遊技機枠の背面図、ｃ図はパチンコ機の背面図。
【図２】同実施形態の中継基板周りを示す分解斜視図。
【図３】従来のパチンコ機を示す模式図であって、ａ図は遊技盤の背面図、ｂ図は遊技機枠の背面図、ｃ図はパチンコ機の背面図。
【符号の説明】
１　遊技盤（遊技主体）
２　主制御部（制御部）
３　機能表示部
４　中継基板
１１　管理装置
１２　遊技機枠
１３　払出制御部（制御部）
１８　発射制御部（制御部）
【図１】
2004141179.tif 000003
【図２】
2004141179.tif 000004
【図３】
2004141179.tif 000005